(57)【要約】      （修正有）【課題】滑走中にスノーボードがしなった時、ビンディングの端の部分が起点となりテコの原理が働きスノーボードが折れる事を、軽減させる緩衝シートを提供する。【解決手段】ゴム製のシート１にビンディング４のビス６が通せる穴をあけ、スノーボードとビンディングの間にシートを挟み込む。更にビンディングの４つ角に、シート小片２、３をはみ出して挟む事で、緩衝効果を得てより折れにくくする。【選択図】図１
0003220748.tif 000002
【実用新案登録請求の範囲】
【請求項１】
スノーボードとビンディングの間に挟んで用いられる緩衝シートであって、
ゴムで形成された事を特徴とする緩衝シート。
【請求項２】
前記ビンディングの中央部に配置されるゴムシート本体と、
前記ゴムシート本体の周囲に配置されるゴムシート小片と、を備える請求項１に記載の緩衝シート。
【請求項３】
前記ゴムシート小片を４つ以上有し、
前記ゴムシート小片が前記ビンディングの少なくとも４隅に配置されることを特徴とする請求項１または２に記載の緩衝シート。
【請求項４】
前記ゴムシート本体は、長方形の四つ角を３角形に切り取った残りの中心部の形状をなし、
前記ゴムシート小片は、切り取られた前記３角形の形状をなす事を特徴とする請求項１〜３のいずれか１項に記載の緩衝シート。
【請求項５】
前記ゴムシート本体とゴムシート小片の厚みが均一である事を特徴とする請求項２〜４のいずれか１項に記載の緩衝シート。
【請求項６】
前記ゴムシート小片のうち、前記スノーボードの中心側に配置される中心側小片より外側に配置される外側小片の方が厚い事を特徴とする請求項２〜４のいずれか１項に記載の緩衝シート。
【請求項７】
前記ゴムシート本体とゴムシート小片の厚みが０．３ｍｍ〜３ｍｍであることを特徴とする請求項２〜５のいずれか１項に記載の緩衝シート。
【請求項８】
前記外側小片の厚みが前記中心側小片の厚みの１．５倍〜４倍である事を特徴とする請求項６に記載の緩衝シート。
【考案の詳細な説明】
【技術分野】
【０００１】本考案はスノーボードとビンディングとの間に用いられる緩衝材に関する物である
【背景技術】
【０００２】従来、非特許文献１に示される様に、スノーボードとビンディングの間に用いられる物は存在するが、滑走時に膝を入れて滑る為に、滑走フォームを矯正する為の物である。
【先行技術文献】
【非特許文献１】
【０００３】
【非特許文献１】有限会社ＭＡＪＥＳＴＩＣ  ＶＩＳＩＯＮ  ＨＰカタログ  インターネット〈ｈｔｔｐ：／／ｗｗｗ．ｐｏｗｃａｎｔ．ｃｏｍ／〉
【考案の概要】
【考案が解決しようとする課題】
【０００４】スノーボーダーの滑走レベルの向上に伴って、スノーボードで滑走中にスノーボードがしなった時、ビンディングの端の部分が起点となりテコの原理が働きスノーボードが折れる事案が増えてきた。
また非特許文献１に示された物は、スノーボードとビンディングの間に斜めの柔らかい素材を挟んで、両足のビンディングが内側に傾き両膝が内側に入る様に滑走フォームを矯正する為の物である。したがって内側の厚みが薄く外側が厚い為、より内側の薄い部分に負荷が掛かり、折れやすい構造になっている。そして素材もウレタン等のスポンジ状の柔らかい素材を使用している為、よりスノーボードに負荷が掛かりやすく、スノーボードにビンディングを取り付けるビスが緩みやすくなる事も問題視されている。
また、厚みが均一ではない為専用のビスの使用を使わなくてはならない欠点があった。
そして、どの大きさのビンディングにも合うように大きめに作られており、はみ出してしまい見栄えが悪いという欠点もあった。
【課題を解決するための手段】  本考案の緩衝シートは、ボードとビンディングの間に挟んで用いられる緩衝シートであって、ゴムで形成された事を主要な特徴としている。
また、本考案の緩衝シートは、前記ビンディングの中央部に配置されるゴムシート本体と、前記ゴムシート本体の周囲に配置されるゴムシート小片とを備える事を主要な特徴としている。
更に、本考案の緩衝シートは、前記ゴムシート小片を４つ以上有し、前記ゴムシート小片が前記ビンディングの少なくとも４隅に配置されることを主要な特徴としている。
更にまた、本考案の緩衝シートは、前記ゴムシート本体は、長方形の四つ角を３角形に切り取った残りの中心部の形状をなし、前記ゴムシート小片は、切り取られた前記３角形の形状をなす事を主要な特徴としている。
また、本考案の緩衝シートは、前記ゴムシート本体とゴムシート小片の厚みが均一である事を主要な特徴としている。
更に、本考案の緩衝シートは、前記ゴムシート小片のうち、前記スノーボードの中心側に配置される中心側小片より外側に配置される外側小片の方が厚い事を主要な特徴としている。
更にまた、本考案の緩衝シートは、前記ゴムシート本体とゴムシート小片の厚みが０．３ｍｍ〜３ｍｍであることを主要な特徴としている。
また、本考案の緩衝シートは、前記外側小片の厚みが前記中心側小片の厚みの１．５倍〜４倍である事を主要な特徴としている。【０００５】本考案は、ゴム製のシートにビンディングのビスが通せる穴をあけ、スノーボードとビンディングの間にゴム製のシートを挟み込み、更にビンディングの４つ角にはみ出して挟む事でより折れにくくする緩衝効果を得てボードが折れる問題を軽減している。
【考案の効果】
【０００６】  上述の様に、本考案のスノーボードを折れにくくする緩衝シートは滑走時のしなりやジャンプの着地時などに緩衝材となりスノーボードとビンディングに発生するテコの原理を和らげてボードを折れにくくする効果があるのは勿論の事、ゴムなのでビンディングのずれ防止にも役立つ、そしてビンディングのビスが長すぎた時のかさ上げにも利用でき、ゴム特性の振動吸収力によりスノーボード滑走時の振動吸収にも役立つ物である。
厚みも均一なので安定しビスが緩む事もなく、通常使われているどのビスにも対応できるので利便性に富んでいる。更に素材がゴム製なので滑り止めになりビスを緩みにくくする効果も得られる。
本考案では本体は小さめにして、四つ角を切り離せるようにし、ビンディングの４つ角に貼る事でどのサイズのビンディングにも見栄え良く収まり、効果を得られる様に考案されている。またビンディングがスノーボード本体に傷をつけることを防ぐ効果もある。
【図面の簡単な説明】
【０００７】
【図１】本考案のスノーボードを折れにくくする緩衝シートの実施例を示す図面である。
【考案を実施するための形態】
【０００８】＜実施形態１＞
本考案の実施形態１の緩衝シートについて図面１を使って説明する。  本考案はゴムシート本体１と本体の周囲に配置するゴムシート小片２，３で構成される。ゴムシート本体１とゴムシート小片２，３の厚みは全て均一であり、０．３ｍｍ〜３ｍｍが好ましい。これより薄いと振動吸収効果が薄くなり、これより厚いと通常のビス６で使用できなくなるからである。また、ゴムシート本体１とゴムシート小片２，３の厚みは１ｍｍが最も好ましい。
【０００９】  ゴムシート本体１にはビンディング４のビス６が通せる穴が開いている。ゴムシート本体１とゴムシート小片２，３はスノーボードとビンディング４の間に挟み込まれる。ゴムシート本体１とゴムシート小片２，３は全て片面がシールになっているので、全てを台紙から取り外し、まずゴムシート本体のシール側の面をビンディング４のビス６穴に合わせてビンディング４の中心部に張り、ゴムシート小片２，３をビンディング４の４つ角に合わせて張り付ける。
【００１０】  ここで、ゴムシート小片２，３は、性能が落ちて構わなければ４個未満でも構わないが４つ角と４辺を守るには４つ以上が必要である。これにより、どのサイズのビンディング４にも見栄え良く収まり、滑走時はゴムによる振動吸収効果と振動によるビス６の緩みもゴムが防いでくれて、滑走時のしなりやジャンプの着地時などに緩衝材となりスノーボードとビンディング４に発生するテコの原理を和らげてボードを折れにくくする効果が得られる。
薄いゴムなので安定感があり、通常のビス６が使えて利便性に富み、更にビンディング４のビス６が長すぎた時のかさ上げにも役立つ物である。
【００１１】  図１に示すように、長方形の四つ角を３角形に切り取り、中心をゴムシート本体１とし、切り取った４つ角をゴムシート小片２，３とした形が最も材料に無駄が無く望ましい。材料である長い長方形のゴムシートから切り出して製造するとき全くロスが出ない理想的な形だからである。しかしながら、この形でなければいけない訳ではなく、製造時にロスが出ても良いのであるならば、様々な形状が可能であり、性能も変わらないものとなる。
【００１２】＜実施形態２＞
本考案の実施形態２の緩衝シートについて図面１を使って説明する。実施形態２の説明において、実施形態１と異なるところを説明し、実施形態１と同じところは説明を省略する。  本考案はゴムシート本体１と本体の周囲に配置するゴムシート小片２，３で構成される。ゴムシート小片の２は内側（ボードの中心側）ゴムシート小片３は外側（その反対側）に配置される。
【００１３】ゴムシート本体１とゴムシート小片２の厚みは全て均一であり、０．３ｍｍ〜３ｍｍが好ましい。これより薄いと振動吸収効果が薄くなり、これより厚いと通常のビス６で使用できなくなるからである。また、ゴムシート本体１とゴムシート小片２の厚みは１ｍｍが最も好ましい。また、ゴムシート小片３は、ゴムシート小片２より厚く１．５倍〜４倍が好ましい。
【００１４】    ゴムシート本体１にはビンディング４のビス６が通せる穴が開いている。ゴムシート本体１とゴムシート小片２，３はスノーボードとビンディング４の間に挟み込まれる。ゴムシート本体１とゴムシート小片２，３は全て片面がシールになっているので、全てを台紙から取り外し、まずゴムシート本体のシール側の面をビンディング４のビス穴５に合わせてビンディングの中心部に張り、ゴムシート小片２，３をビンディングの４つ角に合わせて張り付ける。ゴムシート小片の２は内側（ボードの中心側）ゴムシート小片３は外側（その反対側）に配置される。
【００１５】ゴムシート小片２よりもゴムシート小片３の厚みを増す事により、両足のビンディングが内側に傾き両膝が内側に入る様に滑走フォームを矯正することができる。ここで、ゴムシート小片３の厚みはゴムシート小片２の厚みの１．５倍〜４倍である事が望ましい。１．５倍より小さい場合は内側の傾きが小さすぎて両膝が入らないので効果が薄れ、４倍以上になるとビンディングの固定が不安定になりビス６も緩み易くなる為である。１．５倍〜４倍の場合は内側に程よく傾き滑走時に両膝がしっかり入る角度を作れ、ゴム素材の程良い硬さと相まって、ビンディングの固定の安定性を確保しビス６が緩みやすくなる事を防ぐことができる。
【００１６】  厚みが均一の実施形態１の方が折れる事を防ぐ緩衝能力は高くなるが、実施例２ではフォームを矯正するという実施形態１にはない効果を生み出すことができる。
ゴムシート本体１にはビンディングのビス６が通せる穴が開いている。ゴムシート本体１とゴムシート小片２はスノーボードとビンディングの間に挟み込まれる。ゴムシート本体１とゴムシート小片２，３は全て片面がシールになっているので、全てを台紙から取り外し、まずゴムシート本体のシール側の面をビンディングのビス穴に合わせて中心に張り、ゴムシート小片２，３をビンディングの４つ角に合わせて張り付ける。この時、ゴムシート小片の２は内側（ボードの中心側）ゴムシート小片３は外側（その反対側）に配置される。
【００１７】  ここで、ゴムシート小片２，３は、性能が落ちて構わなければ４個未満でも構わないが４つ角と４辺を守るには４つ以上が必要である。これにより、どのサイズのビンディングにも見栄え良く収まり、滑走時はゴムによる振動吸収効果と振動によるビス６の緩みもゴムが防いでくれて、滑走時のしなりやジャンプの着地時などに緩衝材となりスノーボードとビンディングに発生するテコの原理を和らげてボードを折れにくくする効果が得られる。薄いゴムなので安定感があり、通常のビス６が使えて利便性に富み、更にビンディングのビス６が長すぎた時のかさ上げにも役立つ物である。
【００１８】  図１に示すように、長方形の四つ角を３角形に切り取り、中心をゴムシート本体１とし、切り取った４つ角をゴムシート小片２，３とした形が最も材料に無駄が無く望ましい。材料である長い長方形のゴムシートから切り出して製造するとき全くロスが出ない理想的な形だからである。しかしながら、この形でなければいけない訳ではなく、製造時にロスが出ても良いのであるならば、様々な形状が可能であり、性能も変わらないものとなる。
【符号の説明】
【００１９】  １  ゴムシート本体
２  ゴムシート小片
３  ゴムシート小片
４  ビンディング
５  ビス穴
６  ビス
【図１】
0003220748.tif 000003
【手続補正書】
【提出日】平成31年1月9日(2019.1.9)
【手続補正１】
【補正対象書類名】実用新案登録請求の範囲
【補正対象項目名】全文
【補正方法】変更
【補正の内容】
【実用新案登録請求の範囲】
【請求項１】
スノーボードとビンディングの間に挟んで用いられる緩衝シートであって、
ゴムで形成された事を特徴とする緩衝シート。
【請求項２】
前記ビンディングの中央部に配置されるゴムシート本体と、
前記ゴムシート本体の周囲に配置されるゴムシート小片と、を備える請求項１に記載の緩衝シート。
【請求項３】
前記ゴムシート小片を４つ以上有し、
前記ゴムシート小片が前記ビンディングの少なくとも４隅に配置されることを特徴とする請求項２に記載の緩衝シート。
【請求項４】
前記ゴムシート本体は、長方形の四つ角を３角形に切り取った残りの中心部の形状をなし、
前記ゴムシート小片は、切り取られた前記３角形の形状をなす事を特徴とする請求項２または３に記載の緩衝シート。
【請求項５】
前記ゴムシート本体とゴムシート小片の厚みが均一である事を特徴とする請求項２〜４のいずれか１項に記載の緩衝シート。
【請求項６】
前記ゴムシート小片のうち、前記スノーボードの中心側に配置される中心側小片より外側に配置される外側小片の方が厚い事を特徴とする請求項２〜４のいずれか１項に記載の緩衝シート。
【請求項７】
前記ゴムシート本体とゴムシート小片の厚みが０．３ｍｍ〜３ｍｍであることを特徴とする請求項２〜５のいずれか１項に記載の緩衝シート。
【請求項８】
前記外側小片の厚みが前記中心側小片の厚みの１．５倍〜４倍である事を特徴とする請求項６に記載の緩衝シート。